(57)【要約】【課題】光トランシーバから通信装置を外す際の実用性を増加させるような、取り外し可能な構造を有する光トランシーバ、または接続モジュールを提供する。【解決手段】本発明の接続モジュール１は、突出部１３２と伝送装置とを配置してなる本体１１と、前記本体１１を受ける開口１５０を備えたハウジング１５とを含み、前記本体１１は、前記伝送装置によって前記ハウジング１５に取り外し可能に接続される。【選択図】      図１Ａ
2007013102.tif 000002
【特許請求の範囲】
【請求項１】
突出部と伝送装置とを配置してなる本体と、
前記本体を受ける開口を備えたハウジングとを含み、
前記本体は、前記伝送装置によって前記ハウジングに取り外し可能に接続される接続モジュール。
【請求項２】
前記ハウジングは、前記本体の突出部に対応して取り外し可能に係合される貫通孔を更に備えた請求項１に記載の接続モジュール。
【請求項３】
前記伝送装置は、その一端に前記突出部に抗して押すための斜面を有するスライダーを含む請求項２に記載の接続モジュール。
【請求項４】
前記伝送装置は、可動バーと、固定スロットを含むスライダーと、少なくとも１つの凹部を含む本体とを更に含み、前記可動バーは、前記固定スロットに接続する固定部を含み、前記凹部は、前記固定部を支持する支点として、前記可動バーが前記スライダーを動かすことができるように機能する請求項３に記載の接続モジュール。
【請求項５】
前記可動バーが第１位置に位置された時、前記突出部は前記貫通孔と係合し、前記可動バーが第２位置に位置された時、前記突出部は前記貫通孔から係合解除される請求項４に記載の接続モジュール。
【請求項６】
前記本体は、前記スライダーを動かすために導くガイドスロットと、外部の接続ヘッドと接続する少なくとも１つの接続孔とを更に含む請求項３に記載の接続モジュール。
【請求項７】
前記本体の中に少なくとも１つの変換器と少なくとも１つの回路板を更に含む請求項１に記載の接続モジュール。
【請求項８】
前記接続モジュールは、電気トランシーバモジュール、または光トランシーバモジュールである請求項１に記載の接続モジュール。
【請求項９】
前記本体は、第１部と第２部を有し、前記伝送装置は、前記第２部に配置され、前記突出部は、前記第２部に形成される請求項１に記載の接続モジュール。
【請求項１０】
前記本体は、第１部と第２部を有し、前記伝送装置は、前記第２部に配置され、前記突出部は、単一ユニットとして前記第１部と一体に形成される請求項１に記載の接続モジュール。
【請求項１１】
突出部と伝送装置とを配置してなり、前記伝送装置が、スライダーと前記スライダーを動かす可動バーを含む本体と、
前記本体を受ける開口を備えたハウジングとを含み、
前記本体は、前記伝送装置によって前記ハウジングに取り外し可能に接続される接続モジュール。
【請求項１２】
第１部と第２部を有し、突出部が前記第１部または第２部に形成される本体と、
前記本体に配置され、スライダー，および前記突出部に接近または前記突出部から離れるように、前記スライダーを動かす可動バーを備えた伝送装置とを含む接続モジュール。
【発明の詳細な説明】
【技術分野】
【０００１】
本発明は、接続モジュールに関し、特に、通信用接続モジュールに関するものである。
【背景技術】
【０００２】
一般的に、例えばハブなどの通信装置は、光信号を電子信号、またはその他の機能の信号に変換する光送受信モジュールを必要とする。光送受信モジュールは、ハウジングとオプトエレクトロニクス送受信機を含み、プラグアンドプレイまたはホットプラグによって通信装置に接続するように構成される。
【０００３】
図５Ａの従来の光送受信モジュール５は、本体５１と、この本体５１に配置されたオプトエレクトロニクス送受信機５２とを有する。バンプ５１１とスライディング部材（sliding element）５１２は、本体５１の底面の前部に形成される。図５Ｂでは、通信装置７が、接続孔７１１を備えて形成された接続部材７１を有する。光送受信モジュール５が通信装置７と係合すると、本体５１のバンプ５１１は、通信装置７の接続孔７１１に接続される。通信装置７から光送受信モジュール５を離すには、光送受信モジュール５のスライディング部材５１２を通信装置７の接続部材７１に向けて押し、本体５１のバンプ５１１と通信装置７の接続孔７１１を離さなければならない。
【０００４】
しかし、本体５１のスライディング部５１２は、本体５１が通信装置７から外されている時、元の位置に自動的に戻ることができない。ユーザーにとっては外された本体５１を通信装置７に再び差し込むことは、不便である。
【０００５】
図５Ｃは、光送受信モジュール５と２つの垂直に並列する通信装置７との関係を表している。スライディング部材５１２が本体５１の先端から延びておらず、且つ、スライディング部材５１２を押す動作が隣接するモジュール５によって妨げられることから、並列する通信装置７の一方に差し込まれた光送受信モジュール５は、単にスライディング部材５１２を押すだけでは容易に外すことができない。
【発明の開示】
【発明が解決しようとする課題】
【０００６】
本発明は、光トランシーバから通信装置を外す際の実用性を増加させるような、取り外し可能な構造を有する光トランシーバ、または接続モジュールを提供することにある。
【０００７】
本発明の光トランシーバは、並列した通信装置の一群から光トランシーバを外す困難さも解消することができる。
【０００８】
また、本発明は、並列した通信装置の一群から所望の光トランシーバを便利に交換できると共に、通信装置と光トランシーバとの間の干渉を除去できるような、取り外し可能な構造を有するもう１つの光トランシーバを更に提供することにある。
【課題を解決するための手段】
【０００９】
本発明の接続モジュールは、本体と、ハウジングと、伝送装置とを含む。伝送装置は本体に配置され、固定部材と、当該固定部材によって移動可能に支持されたスライダーと、スライダーを水平に動かす可動バーとを含む。本体は一定の容積（constant volume）のままで、てこの原理に基づいて、伝送装置によってハウジングに取り外し可能に接続することができ、本体と伝送装置との間の干渉を除去することができる。
【００１０】
具体的に言うと、接続モジュールは突出部を更に含んでおり、この突出部は、固定部材または本体に形成され、伝送装置のスライダーによって本体とハウジングを係合または係合解除するために、ハウジングの貫通孔に嵌め込まれる。
【００１１】
本発明のもう１つの実施例では、接続モジュールは固定部材を必要とせず、突出部が本体に直接形成される。
【発明を実施するための最良の実施例】
【００１２】
添付図面を参照にしながら、以下の詳細な記述と例示を読取ることにより、本発明をより完全に理解することができるであろう。
【実施例】
【００１３】
図１Ａと図１Ｂを参照すると、本発明の第１実施例における接続モジュールすなわち電気トランシーバ１は、係合スロット１１１を有する取り外し可能な本体１１と、固定スロット１２１およびその一端にある斜面１２２を有するスライダー１２と、固定部材１３と、固定部１４１を有する可動バー１４と、開口１５０，弾性片１５１およびこの弾性片１５１に形成された貫通孔１５２を有するハウジング１５とを含む。
【００１４】
図１Ｂに示すように、本体１１は、第１部１１ａと第２部１１ｂを有し、本体１１は、開口１５０によってハウジング１５に受け入れられる。固定部材１３は、ガイドスロット１３１，突出部１３２，２つの係合部１３３および凹部１３４を有する。スライダー１２，固定部材１３および可動バー１４は、共に係合され、接続モジュール１の伝送装置として機能する。
【００１５】
本体１１の第２部１１ｂは、接続孔１６と、回路板１７と、接続ヘッド１８とを含む。係合スロット１１１は、接続孔１６を規定する２つの平行した側壁に形成され、接続ヘッド１８は、接続孔１６に設置される。
【００１６】
回路板１７が接続ヘッド１８に接続されると、可動バー１４は接続ヘッド１８の上に載り、可動バー１４の固定部１４１を回路板１７と接続ヘッド１８との間の連接部の一端に配置させることができる。続いて、回路板１７と可動バー１４に接続された接続ヘッド１８が、本体１１に配置される。次に、スライダー１２が、固定部材１３のガイドスロット１３１の中に導かれ、スライダー１２の斜面１２２は、固定部材１３の突出部１３２に抗して押される。固定部材１３は、可動バー１４の固定部１４１に通されると共に、固定部材１３の係合部１３３は、本体１１の係合スロット１１１に係合され、そこで固定部材１３の突出部１３２が回路板１７に面する。最後に、可動バー１４の固定部１４１は、スライダー１２の固定スロット１２１と固定部材１３の凹部１３４に接続される。
【００１７】
図１Ｃ，図１Ｄおよび図１Ｅを参照すると、てこの原理に基づいて、可動バー１４によってスライダー１２を動かすことができる。図１Ｃは、可動バー１４が第１位置に位置された状態を示しており、ここでのスライダー１２は、固定部材１３の突出部１３２から離れ、ハウジング１５の弾性片１５１は、スライダー１２と固定部材１３の突出部１３２との間の間隔に嵌め込まれている。即ち、突出部１３２は、少なくともその一部がハウジング１５の貫通孔１５２に貫通し、外部に露出する。よって、ハウジング１５は、本体１１にしっかりと接続される。また、本体１１は、本体１１の接続孔１６によって通信装置の外部接続ヘッドを受けることができる。
【００１８】
図１Ｄは、可動バー１４が第２位置に位置された状態を示しており、ここでの固定部材１３の突出部１３２は、ハウジング１５の貫通孔１５２から係合解除されている。固定部材１３の凹部１３４は、固定部１４１を支持する支点として機能する。てこの原理に基づいて、可動バー１４に加えられた力は、スライダーを固定部材１３のガイドスロット１３１に沿って水平に動かす作用力（active force）に変換され、スライダー１２の斜面１２２は、それに応じて弾性片１５１に接触して押し上げ、貫通孔１５２から突出部１３２を係合解除する。よって、図１Ｅに示すように、本体１１をハウジング１５から外すことができる。
【００１９】
上述のように、本体１１は、可動バー１４によってハウジング１５に係合したり、またはハウジング１５から係合解除することができる。本体１１がハウジング１５から外れると、可動バー１４は、第１位置（図１Ｃ）に戻り、同じまたは異なるハウジングに係合することができる。
【００２０】
図２Ａと図２Ｂを参照すると、本発明の第２実施例における接続モジュールすなわち光トランシーバ２は、第１部２１ａと第２部２１ｂを有する本体２１と、斜面２２１と固定スロット２２２を有するスライダー２２と、固定部２４１を有する可動バー２４と、少なくとも１つの光変換器２３と、開口２５０を有するハウジング２５と、ブロック２６と、回路板２７とを含み、前記第２部２１ｂは、ガイドスロット２１１，突出部２１２および凹部２１３が共に形成される。スライダー２２と可動バー２４は、共に接続され、接続モジュール２の伝送装置として機能する。
【００２１】
光変換器２３は、回路板２７と接続され、ブロック２６によって本体２１の第２部２１ｂに固定して配置される。スライダー２２は、ガイドスロット２１１に沿って本体２１の第２部２１ｂ中に動かされ、スライダー２２の斜面２２１は、本体２１の第２部２１ｂの突出部２１２に抗して押される。また、可動バー２４の固定部２４１を、スライダー２２の固定スロット２２２と本体２１の凹部２１３に接続することができる。
【００２２】
この実施例では、てこの原理に基づいて、可動バー２４がスライダー２２を動かすことができる。第２実施例の接続モジュール２は、第１実施例とは異なり、第１実施例における固定部材は省かれ、突出部２１２が本体２１の第２部２１ｂに直接形成される。接続モジュール２の構成部品は、接続モジュール１の構成部品より少ない。即ち、接続モジュール２の構造は、簡易化されている。
【００２３】
図３Ａと図３Ｂを参照すると、本発明の第３実施例における接続モジュールすなわち光トランシーバ３は、突出部３１２が共に形成された第１部３１ａおよび第２部３１ｂを有する本体３１と、斜面３２１を有するスライダー３２と、少なくとも１つの光変換器３３と、可動バー３４と、本体３１を受ける開口３５０および突出部３１２と係合する貫通孔３５２を有するハウジング３５と、ブロック３６と、回路板３７とを含む。スライダー３２と可動バー３４は、共に接続され、接続モジュール３の伝送装置として機能する。
【００２４】
光変換器３３は、回路板３７に接続され、ブロック３６によって本体３１に固定して配置される。スライダー３２は、ガイドスロット３１１に沿って第２部３１ｂ中に動かされ、可動バー３４の固定部３４１は、スライダー３２の固定スロット３２２と本体３１の第２部３１ｂにある凹部３１３に接続される。最後に第１部３１ａと第２部３１ｂは、組み合わせられ、スライダー３２の斜面３２１が第１部３１ａの突出部３１２に抗して押される。突出部３１２と第１部３１ａは、プレス成形によって一体成型することができる。
【００２５】
図４Ａと図４Ｂを参照すると、本発明の第４実施例における接続モジュール４は、本体４１と、斜面４２２を有するスライダー４２と、固定部材４３と、可動バー４４と、ハウジング４５とを含む。スライダー４２，固定部材４３および可動バー４４は接続され、接続モジュール４の伝送装置として機能する。
【００２６】
本体４１は、突出部４３２を有する第１部４１ａと、接続孔４６を有する第２部４１ｂと、回路板４７と、接続ヘッド４８とを含む。係合スロット４１１は、接続孔４６を規定する２つの平行した側壁に形成され、接続孔４６に設置された接続ヘッド４８は、回路板４７に接続される。突出部４３２と第１部４１ａは、プレス成形によって一体成型することができる。
【００２７】
回路板４７が接続ヘッド４８に接続されると、可動バー４４は接続ヘッド４８の上に載り、可動バー４４の固定部４４１を回路板４７と接続ヘッド４８との間の連接部の一端に配置させることができる。続いて、回路板４７と可動バー４４に接続された接続ヘッド４８が、第２部４１ｂに配置される。次に、スライダー４２が、固定部材４３のガイドスロット４３１の中に導かれる。固定部材４３は、可動バー４４の固定部４４１に通されると共に、固定部材４３の係合部４３３は、本体４１の第２部４１ｂの係合スロット４１１に係合される。続いて、固定部４４１は、固定スロット４２１と第２部３１ｂの凹部４３４に係合される。最後に、スライダー４２の斜面４２２は、本体４１の第１部４１ａの突出部４３２に抗して押され、そこで突出部４３２が回路板４７に面する。
【００２８】
上述のように、本発明に基づくと、接続モジュールは、外部の回路板に接続する単一のハウジングを用い、または外部の回路板に接続する複数の並列したハウジングを用いることができる。また、突出部の形状は、実施例中の記述に限定するものではなく、ハウジングの貫通孔に対応する形状に形成することができる。
【００２９】
以上、本発明の好適な実施例を例示したが、これは本発明を限定するものではなく、逆に添付の各請求項における精神と範囲を含んだ様々変更や均等物への適用を、本発明が意図していることを理解されたい。
【図面の簡単な説明】
【００３０】
【図１Ａ】本発明の第１実施例における接続モジュールの概略図である。
【図１Ｂ】図１Ａの接続モジュールにおける本体の分解図である。
【図１Ｃ】図１Ａの接続モジュールの動作を表す図である。
【図１Ｄ】図１Ａの接続モジュールの動作を表す図である。
【図１Ｅ】図１Ａの接続モジュールの動作を表す図である。
【図２Ａ】本発明の第２実施例における接続モジュールの概略図である。
【図２Ｂ】図２Ａの接続モジュールにおける本体の分解図である。
【図３Ａ】本発明の第３実施例における接続モジュールの概略図である。
【図３Ｂ】図３Ａの接続モジュールにおける本体の分解図である。
【図４Ａ】本発明の第４実施例における接続モジュールの概略図である。
【図４Ｂ】図４Ａの接続モジュールにおける本体の分解図である。
【図５Ａ】従来の光送受信モジュールの断面図である。
【図５Ｂ】通信装置に接続された従来の光送受信モジュールを示す斜視図である。
【図５Ｃ】従来の光送受信モジュールと２つの垂直に並列した通信装置を示す斜視図である。
【符号の説明】
【００３１】
１  接続モジュール（電気トランシーバ）
２，３  接続モジュール（光トランシーバ）
４  接続モジュール
５  光送受信モジュール
７  通信装置
１１，２１，３１，４１，５１  本体
１１ａ，２１ａ，３１ａ，４１ａ  第１部
１１ｂ，２１ｂ，３１ｂ，４１ｂ  第２部
１２，２２，３２，４２  スライダー（伝送装置）
１３，３３  固定部材（伝送装置）
１４，２４，３４，４４  可動バー（伝送装置）
１５，２５，３５，４５  ハウジング
１６，４６  接続孔
１７，２７，３７，４７  回路板
１８，４８  接続ヘッド
２３，３３  光変換器
２６，３６  ブロック
５２  オプトエレクトロニクス送受信機
７１  接続素子
１１１，４１１  係合スロット
１２１，２２２，４２１  固定スロット
１２２，２２１，３２１，４２２  斜面
１３１，２１１，４３１  ガイドスロット
１３２，２１２，３１２，４３２  突出部
１３３，４３３  係合部
１３４，２１３，４３４  凹部
１４１，２４１，４４１  固定部
１５０，２５０，３５０  開口
１５１  弾性片
１５２，３５１  貫通孔
５１１  バンプ
５１２  スライディング部
７１１，４６  接続孔
【図１Ａ】
2007013102.tif 000003
【図１Ｂ】
2007013102.tif 000004
【図１Ｃ】
2007013102.tif 000005
【図１Ｄ】
2007013102.tif 000006
【図１Ｅ】
2007013102.tif 000007
【図２Ａ】
2007013102.tif 000008
【図２Ｂ】
2007013102.tif 000009
【図３Ａ】
2007013102.tif 000010
【図３Ｂ】
2007013102.tif 000011
【図４Ａ】
2007013102.tif 000012
【図４Ｂ】
2007013102.tif 000013
【図５Ａ】
2007013102.tif 000014
【図５Ｂ】
2007013102.tif 000015
【図５Ｃ】
2007013102.tif 000016
【手続補正書】
【提出日】平成18年6月15日(2006.6.15)
【手続補正１】
【補正対象書類名】明細書
【補正対象項目名】００２３
【補正方法】変更
【補正の内容】
【００２３】
図３Ａと図３Ｂを参照すると、本発明の第３実施例における接続モジュールすなわち光トランシーバ２ａは、突出部２１２ａが共に形成された第１部２１ａ’および第２部２１ｂ’を有する本体２１’と、斜面２２１を有するスライダー２２と、少なくとも１つの光変換器２３と、可動バー２４と、本体２１’を受ける開口２５０および突出部２１２ａと係合する貫通孔２５２を有するハウジング２５と、ブロック２６と、回路板２７とを含む。スライダー２２と可動バー２４は、共に接続され、接続モジュール２ａの伝送装置として機能する。
【手続補正２】
【補正対象書類名】明細書
【補正対象項目名】００２４
【補正方法】変更
【補正の内容】
【００２４】
光変換器２３は、回路板２７に接続され、ブロック２６によって本体２１’に固定して配置される。スライダー２２は、ガイドスロット２１１に沿って第２部２１ｂ’中に動かされ、可動バー２４の固定部２４１は、スライダー２２の固定スロット２２２と本体２１’の第２部２１ｂ’にある凹部２１３に接続される。最後に第１部２１ａ’と第２部２１ｂ’は、組み合わせられ、スライダー２２の斜面２２１が第１部２１ａ’の突出部２１２に抗して押される。突出部２１２と第１部２１ａ’は、プレス成形によって一体成型することができる。
【手続補正３】
【補正対象書類名】明細書
【補正対象項目名】００２５
【補正方法】変更
【補正の内容】
【００２５】
図４Ａと図４Ｂを参照すると、本発明の第４実施例における接続モジュール３は、本体３１と、斜面３２２を有するスライダー３２と、固定部材３３と、可動バー３４と、ハウジング３５とを含む。スライダー３２，固定部材３３および可動バー３４は接続され、接続モジュール３の伝送装置として機能する。
【手続補正４】
【補正対象書類名】明細書
【補正対象項目名】００２６
【補正方法】変更
【補正の内容】
【００２６】
本体３１は、突出部３３２を有する第１部３１ａと、接続孔３６を有する第２部３１ｂと、回路板３７と、接続ヘッド３８とを含む。係合スロット３１１は、接続孔３６を規定する２つの平行した側壁に形成され、接続孔３６に設置された接続ヘッド３８は、回路板３７に接続される。突出部３３２と第１部３１ａは、プレス成形によって一体成型することができる。
【手続補正５】
【補正対象書類名】明細書
【補正対象項目名】００２７
【補正方法】変更
【補正の内容】
【００２７】
回路板３７が接続ヘッド３８に接続されると、可動バー３４は接続ヘッド３８の上に載り、可動バー３４の固定部３４１を回路板３７と接続ヘッド３８との間の連接部の一端に配置させることができる。続いて、回路板３７と可動バー３４に接続された接続ヘッド３８が、第２部３１ｂに配置される。次に、スライダー３２が、固定部材３３のガイドスロット３３１の中に導かれる。固定部材３３は、可動バー３４の固定部３４１に通されると共に、固定部材３３の係合部３３３は、本体３１の第２部３１ｂの係合スロット３１１に係合される。続いて、固定部３４１は、固定スロット３２１と第２部３１ｂの凹部３３４に係合される。最後に、スライダー３２の斜面３２２は、本体３１の第１部３１ａの突出部３３２に抗して押され、そこで突出部３３２が回路板３７に面する。
【手続補正６】
【補正対象書類名】図面
【補正対象項目名】図３Ｂ
【補正方法】変更
【補正の内容】
【図３Ｂ】
2007013102.tif 000017
【手続補正７】
【補正対象書類名】図面
【補正対象項目名】図５Ａ
【補正方法】変更
【補正の内容】
【図５Ａ】
2007013102.tif 000018
【外国語明細書】
2007013102.tif 000019
2007013102.tif 000020
2007013102.tif 000021
2007013102.tif 000022
2007013102.tif 000023
2007013102.tif 000024
2007013102.tif 000025
2007013102.tif 000026
2007013102.tif 000027
2007013102.tif 000028
2007013102.tif 000029
2007013102.tif 000030
2007013102.tif 000031
2007013102.tif 000032
2007013102.tif 000033
2007013102.tif 000034
2007013102.tif 000035
2007013102.tif 000036
2007013102.tif 000037
2007013102.tif 000038
2007013102.tif 000039
2007013102.tif 000040
2007013102.tif 000041
2007013102.tif 000042
2007013102.tif 000043
2007013102.tif 000044
2007013102.tif 000045